(57)【要約】      （修正有）【課題】使用する際の便利性を引き上げ、安全性を高めるユニバーサルワインディング構造を提供する。【解決手段】主に上蓋１、下蓋２、回転盤３、スクロールスプリング４で構成するユニバーサルワインディング装置である。該回転盤は下から上に順に底層３２、中層、上層３４を設置する。該中層は円形状の分線盤３３であり、該分線盤にフックスロットを設置する。該底層と該下蓋の間に定位するために用いられるＵ字型可動ラッチ６を設置する。該底層の底部に平面軌道を設置する。該ユニバーサルワインディング装置は更に回転盤をロックできる安全スイッチを含む。使用する際、本考案のユニバーサルワインディング装置は、各種のコード製品に組み合わせておよび応用することができる。【選択図】図１
0003186491.tif 000002
【実用新案登録請求の範囲】
【請求項１】
上蓋、下蓋、回転盤、スクロールスプリングを含み、
上蓋と下蓋が互いに掛合し、該下蓋の中央は上向きに突出して軸を成型し、該回転盤の中央には軸に対応した穴を設け、該穴に軸を套設することで、回転盤は可動的に上蓋と下蓋の間に設置することができ、
当該特徴とは、該回転盤は下から上に順に底層、中層、上層を設置し、上層の頂上部分には上向きに突出してスクロールスプリングを止める突起ブロックを成型し、  
該中層は円形状の分線盤であり、該分線盤にコードを引っ掛けるフックスロットを設置し、該上蓋の外側と下蓋の外側には、いずれもコードを入れ、且つフックスロットと対応する開口を開け、
該底層と該下蓋の間に定位するために用いられるＵ字型可動ラッチを設置し、該下蓋の内側にＵ字型可動ラッチと一致するＵ字型ストッパー溝を設置し、Ｕ字型可動ラッチのカーブの中央部分には、上向きに突起するラッチ部品を成型し、
該底層の底部にはラッチ部品が運動する平面軌道を設置し、ラッチ部品を平面軌道内に掛合することで、回転盤が平面軌道を通過するとラッチ部品を動かし、更にＵ字型可動ラッチをＵ字型ストッパー溝内にて運動させ、
該ユニバーサルワインディング装置は更に手動で回転盤をロックできる安全スイッチを含むことを特徴とするユニバーサルワインディング装置。
【請求項２】
該平面軌道は内輪軌道、外輪軌道を含み、内輪軌道と外輪軌道の間にラッチ部品が掛合定位できる定位箇所を設置することを特徴とする請求項１記載のユニバーサルワインディング装置。
【請求項３】
前記底層の底部は下向きに突起した中央凸ブロック、縁凸ブロック、分割凸ブロック、定位凸ブロックで構成する平面軌道であり、
該分割凸ブロックは円形を呈し、内輪軌道と外輪軌道に分け、該分割凸ブロックに切欠口を設け、定位凸ブロックはハート型であり、且つ該定位凸ブロックは分割凸ブロックの切欠口の部分に位置、該縁凸ブロックは内輪軌道と外輪軌道の交差部に位置することを特徴とする請求項２記載のユニバーサルワインディング装置。
【請求項４】
該安全スイッチはトグルブロック、弾性シートを含み、該上蓋に設置穴を設け、該トグルブロックと該弾性シートはいずれも設置穴の中に置き、且つ該弾性シートの一端は設置穴の内壁と抵触し、該弾性シートの別端は該トグルブロックと抵触し、
該上層の突起ブロックの外側に掛合スロットを成型し、該トグルブロックの底部に掛合スロットと対応し、回転盤を止めるストッパーブロックを成型し、且つ該トグルブロックの頂上部は設置穴から突出することを特徴とする請求項１記載のユニバーサルワインディング装置。
【請求項５】
該安全スイッチは該Ｕ字型可動ラッチのＵ字型牽引、スライド部を止める役割をも含み、該Ｕ字型牽引はリンクを通じてスライド部と接続し、該Ｕ字型牽引は下蓋内に位置し、該スライド部は下蓋の外に位置し、該下蓋にリンクが通る穴を設け、
該スライド部が該Ｕ字型牽引を押してＵ字型ストッパー溝に置いたとき、該Ｕ字型牽引はＵ字型可動ラッチを止めることで該回転盤をロックすることを特徴とする請求項１記載のユニバーサルワインディング装置。
【請求項６】
該開口の両側にいずれも二つのガイド溝を設け、二つのガイド溝の境界部は分線盤と対応することを特徴とする請求項１記載のユニバーサルワインディング装置。
【請求項７】
前記下蓋の底にエポキシステッカー、面ファスナー、金属片あるいは磁石片を設置することを特徴とする請求項１記載のユニバーサルワインディング装置。
【請求項８】
前記上蓋と下蓋が互いに対応する外側に吊り下げ物品を設置し、該吊り下げ物品の表面に粘着シートを設置し、該粘着シートは金属片或いは磁石片であり、該粘着片の両サイドにコードを嵌めて固定できるストリップ状の溝を設けることを特徴とする請求項１記載のユニバーサルワインディング装置。
【請求項９】
更にコードを含み、当該特徴は、コードの一端をユニバーサルワインディング装置の回転盤に固定し、該コードの別端はフリーエンドであり、該フリーエンドをユニバーサルワインディング装置の外に置くことを特徴とする請求項１〜請求項８の如何なる一項目記載のユニバーサルワインディング装置。
【請求項１０】
更にコードを含み、当該特徴は、コードの真ん中部分をユニバーサルワインディング装置の回転盤に固定し、該コードの両端はいずれもフリーエンドであり、該フリーエンドをユニバーサルワインディング装置の外に置くことを特徴とする請求項１〜請求項８の如何なる一項目記載のユニバーサルワインディング装置。
【考案の詳細な説明】
【技術分野】
【０００１】
本考案はコードワインディング装置に関し、特に各タイプの電子機材のコードを収納するユニバーサルワインディング装置に関し、且つコードと結合してシングルワインディング器或いはダブルワインディング器を形成する。
【背景技術】
【０００２】
周知のように、コード付イヤホーン、マウス、キーボード、充電器などの製品は、必ずデータ伝送線などのコードを通じてデータを得る、データを伝送する、或いは電気を供給する必要がある。またはキーボルダー、文具、飾り物などはシンプルなコードを通じて収納或いは使用する。従来では上記のコードは通常巻き上げて、或いは不規則な収納方法であり、往々にしてコードが乱雑なために互いに絡まりあい、便利に使用することができない。よって、多くのデザイナーが次々とこの類のコードの収納、使用する際の機能について、多くの構造と製品をデザインしてきた。この類の製品は主に一種のスクロールスプリングを主体とし、スクロールスプリングのスクロールストレッチにより、コードが螺旋ルート、或いは円形方向のルートに基づき巻き付けていく。引っ張り出して使用する際、スクロールスプリングの外側に引っ張る牽引力を介し、コードを引っ張り出す動作につながる。やや牽制されるが、該牽制の力は尚も容易く克服できるために、該類のコードを巻き上げて収納する際に、いずれも一つの軌跡ルートと、力の制御があるため、スムーズにコードを巻き上げたり、収納したりすることができる。参照として中国の特許申請案第２００６２０１１６２８５．６号のシングルフリーエンドのコードワインディング器および中国の特許申請案第２００６２０１１６２８４.１２００６２０１１６２８４．１号のダブルフリーエンドのコードワインディング器がある。
【０００３】
しかし、上記のコードワインディング器はいずれもコード付コードワインディング器であり、イヤホーン、マウス、キーボード、充電器などの製品のコードの一端をコードワインディング器内に固定する必要があり、それにより一つのコードワインディング器は一つの製品にしか使用できず、コードワインディング器の使用範囲を制限する。しかも、現在のコードワインディング器を使用する際、うっかり或いはアクシデントでコード或いはコードワインディング器と接触すると、コードワインディング器が自動的にコードを収納してしまい、スクロールスプリングのスクロールストレッチが一瞬にして解き放たれるため、コードと接続していた製品が突然弾かれてユーザーを傷つける可能性があり、安全性が悪いことを鑑みて、更なる改善が必要であった。
【先行技術文献】
【特許文献】
【０００４】
【特許文献１】特許公表２００２−５４４０９３号公報
【考案の概要】
【考案が解決しようとする課題】
【０００５】
前記公知構造の欠点を解決するため、本考案の第１の目的は、ユーザーがニーズに合わせて自由に各タイプのコード製品を収納することができ、使用する際の便利性を大きく引き上げるユニバーサルワインディング装置を提供することにある
【０００６】
本考案の第２の目的は、ユーザーが使用状況に基づき、自由に回転盤をロックすることができ、うっかりコードが自動的に収納する状況を避け、使用上の安全性を高めるユニバーサルワインディング装置を提供することにある。
【０００７】
本考案の第３の目的は、本考案をコードと結合することで、安全性の高いシングルワインディング器或いはダブルワインディング器を形成するユニバーサルワインディング装置を提供することにある。
【課題を解決するための手段】
【０００８】
上述の目的を解決するために、本考案はユニバーサルワインディング装置の構造を提供するものである。それに含まれるのは上蓋、下蓋、回転盤、スクロールスプリングである。上蓋と下蓋が互いに掛合し、該下蓋の中央は上向きに突出して軸を成型し、該回転盤の中央には軸に対応した穴を設け、該穴に軸を套設することで、回転盤は可動的に上蓋と下蓋の間に設置することができる。該回転盤は下から上に順に底層、中層、上層を設置し、上層の頂上部分には上向きに突出してスクロールスプリングを止める突起ブロックを成型する該中層は円形状の分線盤であり、該分線盤にコードを引っ掛けるフックスロットを設置する。該上蓋の外側と該下蓋の外側には、いずれもコードを入れ、且つフックスロットと対応する開口を開ける。該底層と該下蓋の間に定位するために用いられるＵ字型可動ラッチを設置する。該下蓋の内側にＵ字型可動ラッチと一致するＵ字型ストッパー溝を設置する。Ｕ字型可動ラッチのカーブの中央部分には、上向きに突起するラッチ部品を成型する。該底層の底部にはラッチ部品が運動する平面軌道を設置し、ラッチ部品を平面軌道内に掛合することで、回転盤が平面軌道を通過するとラッチ部品を動かし、更にＵ字型可動ラッチをＵ字型ストッパー溝内にて運動させる。該ユニバーサルワインディング装置は更に手動で回転盤をロックできる安全スイッチを含む。
【０００９】
最良実施例として、平面軌道は内輪軌道、外輪軌道を含み、内輪軌道と外輪軌道の間にラッチ部品が掛合定位できる定位箇所を設置する。
【００１０】
最良実施例として、該底層の底部は下向きに突起した中央凸ブロック、縁凸ブロック、分割凸ブロック、定位凸ブロックで構成する平面軌道である。該分割凸ブロックは円形を呈し、内輪軌道と外輪軌道に分ける。該分割凸ブロックに切欠口を設ける。定位凸ブロックはハート型であり、且つ該定位凸ブロックは分割凸ブロックの切欠口の部分に位置する。該縁凸ブロックは内輪軌道と外輪軌道の交差部に位置する。
【００１１】
最良実施例として、安全スイッチはトグルブロック、弾性シートを含み、該上蓋に設置穴を設け、該トグルブロックと該弾性シートはいずれも設置穴の中に置く。且つ該弾性シートの一端は設置穴の内壁と抵触し、該弾性シートの別端は該トグルブロックと抵触する。該上層の突起ブロックの外側に掛合スロットを成型し、該トグルブロックの底部に掛合スロットと対応し、回転盤を止めるストッパーブロックを成型し、且つ該トグルブロックの頂上部は設置穴から突出する。
【００１２】
別の最良実施例として、該安全スイッチは該Ｕ字型可動ラッチのＵ字型牽引、スライド部を止める役割をも含む。該Ｕ字型牽引はリンクを通じてスライド部と接続し、該Ｕ字型牽引は下蓋内に位置し、該スライド部は下蓋の外に位置し、該下蓋にリンクが通る穴を設ける。該スライド部が該Ｕ字型牽引を押してＵ字型ストッパー溝に置いたとき、該Ｕ字型牽引はＵ字型可動ラッチを止めることで該回転盤をロックし、即ち安全スイッチがロックした状態となる。
【００１３】
最良実施例として、該開口の両側にいずれも二つのガイド溝を設け、二つのガイド溝の境界部は分線盤と対応している。
【００１４】
最良実施例として、該下蓋の底にエポキシステッカー、面ファスナー（例えばマジックテープ（登録商標））、金属片あるいは磁石片を設置する。
【００１５】
最良実施例として、該上蓋と該下蓋が互いに対応する外側に吊り下げ物品を設置し、該吊り下げ物品の表面に粘着シートを設置し、該粘着シートは金属片或いは磁石片であり、該粘着片の両サイドにコードを嵌めて固定できるストリップ状の溝を設ける。
【００１６】
最良実施例として、本考案のユニバーサルワインディング装置は更にコードを含み、シングルワインディング器を形成することができる。該コードの一端をユニバーサルワインディング装置の回転盤に固定し、該コードの別端はフリーエンドであり、該フリーエンドをユニバーサルワインディング装置の外に置く
【００１７】
最良実施例として、本考案のユニバーサルワインディング装置は更にコードを含み、ダブルワインディング器を形成することができる。コードの真ん中部分をユニバーサルワインディング装置の回転盤に固定し、該コードの両端はいずれもフリーエンドであり、該フリーエンドをユニバーサルワインディング装置の外に置く。
【００１８】
本考案の効果とは：本考案のユニバーサルワインディング装置に含まれるのは上蓋、下蓋、回転盤、スクロールスプリングである。該回転盤は下から上に順に底層、中層、上層を設置し、上層の頂上部分には上向きに突出してスクロールスプリングを止める突起ブロックを成型する該中層は円形状の分線盤であり、該分線盤にコードを引っ掛けるフックスロットを設置する。該上蓋の外側と該下蓋の外側には、いずれもコードを入れ、且つフックスロットと対応する開口を開ける。該底層と該下蓋の間に定位するために用いられるＵ字型可動ラッチを設置する。該下蓋の内側にＵ字型可動ラッチと一致するＵ字型ストッパー溝を設置する。該底層の底部にはラッチ部品が運動する平面軌道を設置する。該ユニバーサルワインディング装置は更に手動で回転盤をロックできる安全スイッチを含む。使用する際、ユーザーはコード製品(イヤホン、充電器など)のコードを開口を通じてフックスロットの中に引っ掛け、更に回転盤の回転を通じて、コード製品のコードを巻きつけることで、コードレスのワインディング装置を実現する。即ち本考案のユニバーサルワインディング装置は、各種のコード製品に組み合わせておよび応用することができる。また、本考案のユニバーサルワインディング装置の安全スイッチは、手動で回転盤をロックすることができる。ユーザーが手動でのみ安全スイッチを開けられ、回転盤を回転することができるため、うっかり或いはアクシデントでコード或いはワインディング装置に接触することで、ワインディング装置が自動的にコードを収納してしまい、コードと接続する製品が突然弾かれてユーザーを傷つける状況が発生するのを防止し、安全性を高める。本考案のユニバーサルワインディング装置は高い安全性を具有するのが特徴である。
【００１９】
同じく、本考案のユニバーサルワインディング装置のシングルワインディング器を結合し、当該安全スイッチは手動で回転盤をロックすることができ、ユーザーが手動でのみ安全スイッチを開けられ、回転盤を回転することができるため、うっかり或いはアクシデントでコード或いはシングルワインディング装置に接触することで、シングルワインディング装置が自動的にコードを収納してしまい、コードと接続する製品が突然弾かれてユーザーを傷つける状況が発生するのを防止し、安全性を高める。本考案のシングルワインディング装置の高い安全性を具有するのが特徴である。
【００２０】
同じく、本考案のユニバーサルワインディング装置のダブルワインディング器を結合し、当該安全スイッチは手動で回転盤をロックすることができ、ユーザーが手動でのみ安全スイッチを開けられ、回転盤を回転することができるため、うっかり或いはアクシデントでコード或いはダブルワインディング装置に接触することで、ダブルワインディング装置が自動的にコードを収納してしまい、コードと接続する製品が突然弾かれてユーザーを傷つける状況が発生するのを防止し、安全性を高める。本考案のダブルワインディング装置の高い安全性を具有するのが特徴である。
【考案の効果】
【００２１】
本考案の安全スイッチは、手動で回転盤をロックすることができる。ユーザーが手動でのみ安全スイッチを開けられ、回転盤を回転することができ、高い安全性を具有する。
【図面の簡単な説明】
【００２２】
【図１】本考案実施例１のユニバーサルワインディング装置の分解略図である。
【図２】本考案実施例１のユニバーサルワインディング装置の上下蓋の構造略図である。
【図３】本考案実施例１のユニバーサルワインディング装置の回転盤の構造略図である。
【図４】図３の側視図である。
【図５】図４の仰視図である。
【図６ａ】本考案実施例１のユニバーサルワインディング装置が始めの状態から自動的にコードを巻き上げる状態の時のラッチ部品が平面軌道での運動軌跡の略図である。
【図６ｂ】本考案実施例１のユニバーサルワインディング装置が始めの状態から自動的にコードを巻き上げる状態の時のラッチ部品が平面軌道での運動軌跡の略図である。
【図７ａ】本考案実施例１のユニバーサルワインディング装置がコードを巻き上げた状態からコードが緩む状態の時のラッチ部品が平面軌道での運動軌跡の略図である。
【図７ｂ】本考案実施例１のユニバーサルワインディング装置がコードを巻き上げた状態からコードが緩む状態の時のラッチ部品が平面軌道での運動軌跡の略図である。
【図８】本考案実施例１のユニバーサルワインディング装置がコードを緩ませる状態から、コードを定位した状態時のラッチ部品が平面軌道での運動軌跡の略図である。
【図９】本考案の実施例１のユニバーサルワインディング装置の上蓋と安全スイッチの構造略図である。
【図１０】図９の別の角度から見た構造略図である。
【図１１】本考案実施例１のシングルワインディング器の分解略図である。
【図１２】本考案実施例１のダブルワインディング器の分解略図である。
【図１３】本考案実施例２のユニバーサルワインディング装置の下蓋と安全スイッチの構造略図である。
【考案を実施するための形態】
【００２３】
以下、本発明の実施の形態を図面を参照しながら詳細に説明する。
【実施例１】
【００２４】
本考案のユニバーサルワインディング装置は、図１〜図１０に示すように、それに含まれるのは上蓋１、下蓋２、回転盤３、スクロールスプリング４である。上蓋１と下蓋２が互いに掛合し、該下蓋２の中央は上向きに突出して軸２１を成型し、該回転盤３の中央には軸２１に対応した穴３１を設け、該穴３１に軸２１を套設することで、回転盤３は可動的に上蓋１と下蓋２の間に設置することができる。該回転盤３は下から上に順に底層３２、中層３３、上層３４を設置し、上層３４の頂上部分には上向きに突出してスクロールスプリング４を止める突起ブロック３４１を成型する(スクロールスプリング４が回転盤３の構造と噛み合う構造は従来技術であるため、ここで詳細に説明しない)。該中層は円形状の分線盤３３であり、該分線盤３３にコードを引っ掛けるフックスロット３３１を設置する。分線盤３３のこの構造は、回転盤３が外部のコードをきちんと且つ平均的に分線盤３３の両側に巻きつけるほか、本考案のユニバーサルワインディング装置の各部品が巻きつけられる外部のコードとの摩擦を下げることができる。また、分線盤３３にある一つ或いは数個のフックスロット３３１もまた、回転盤３の分線盤３３のしっかりとした構造により、堅固且つ強く断裂しにくいものとなる。また、フックスロット３３１によって、ユーザーが手を使って回転盤３を動かしやすくなり、それによってスクロールスプリング４が締め付けた状態となる。上蓋１の外側と下蓋２の外側(即ち上蓋１と下蓋２が掛合して構成するケース本体の外側)には、いずれもコードを入れ、且つフックスロット３３１と対応する開口５を開けることで、ユーザーがコード製品のコードを、該開口５からフックスロット３３１に引っ掛けるのに便利となる。
【００２５】
該底層３２と該下蓋２の間に定位するために用いられるＵ字型可動ラッチ６を設置する。該下蓋２の内側にＵ字型可動ラッチ６と一致するＵ字型ストッパー溝２２を設置する。Ｕ字型可動ラッチ６のカーブの中央部分には、上向きに突起するラッチ部品６１を成型し、即ち、ラッチ部品６１をＵ字型可動ラッチ６のカーブの中央部分の上に固定することで、Ｕ字型可動ラッチ６が運動する際に、良好なバランス性を具有することができる。該底層３２の底部にはラッチ部品６１が運動する平面軌道７を設置し、ラッチ部品６１を平面軌道７内に掛合することで、回転盤３が平面軌道７を通過するとラッチ部品６１を動かし、更にＵ字型可動ラッチ６をＵ字型ストッパー溝２２内にて運動させる。即ち、ラッチ部品６１が平面軌道７内で運動する際、Ｕ字型可動ラッチ６が同時にＵ字型ストッパー溝２２内で滑動する。
【００２６】
該ユニバーサルワインディング装置は更に手動で回転盤３をロックできる安全スイッチ９を含む。即ち、安全スイッチ９は手動によって回転盤３をロックすることができ、ユーザーが手動でのみ安全スイッチ９を解除して始めて、回転盤３が回転する。でなければ、安全スイッチ９をロックした状態では、回転盤３を回転することはできない。
【００２７】
具体的に、平面軌道７は内輪軌道７１、外輪軌道７２を含み、内輪軌道７１と外輪軌道７２の間にラッチ部品６１が掛合定位できる定位箇所７３を設置する。本考案は平面軌道７を使用し、平面軌道７の内輪軌道７１と外輪軌道７２の間には、高低の段差を設けていないため、ラッチ部品６１が平面軌道７内で運動しても音は小さく、騒音を作り出さない。更に従来技術ではスチールボールをラッチのコードワインディング装置に使用していたのに比べ、本考案のＵ字型可動ラッチ６は平面軌道７との間に、比較的ゆったりとした掛合スペースを具有し、且つ本考案のＵ字型可動ラッチ６は、回転盤３の平面軌道７およびＵ字型ストッパー溝２２と同じ材料であるプラスチックを使うことができるため、Ｕ字型可動ラッチ６が装置全体の中での摩擦力が弱くなり、それによって装置の使用寿命を延ばすことができる。
【００２８】
具体的に該底層３２の底部は下向きに突起した中央凸ブロック３２１、縁凸ブロック３２２、分割凸ブロック３２３、定位凸ブロック３２４で構成する平面軌道７である。該分割凸ブロック３２３は円形を呈し、内輪軌道７１と外輪軌道７２に分ける。該分割凸ブロック３２３に切欠口を設ける。定位凸ブロック３２４はハート型であり、且つ該定位凸ブロック３２４は分割凸ブロック３２３の切欠口の部分に位置する。該縁凸ブロック３２２は内輪軌道７１と外輪軌道７２の交差部に位置する。
【００２９】
図５に示すように、本考案のユニバーサルワインディング装置のコードを収納する動きの原理は、スクロールスプリング４が締め付けた状態、且つ安全スイッチ９がロックしている状態で、ユーザーはコード製品のコードを開口５からフックスロット３３１の中に引っ掛けてから安全スイッチ９を解除すれば、スクロールスプリング４が始めの状態に戻るまで回転盤３をすばやく回転させることができ、コード製品のコードを収納することができる。仮に安全スイッチ９を解除した際、ラッチ部品６１が定位箇所７３で引っかかった場合、ユーザーはコードを軽く引っ張る、或いは回転盤３を回し、ラッチ部品６１が定位箇所７３から離れて外輪軌道７２で運動する(ここで指すのは相対運動である。回転盤３の回転によりラッチ部品６１が運動する)。図６ａに示すように、内輪軌道７１に入ってないときに、ユーザーがコードを引っ張るのを止めて手を離すと、スクロールスプリング４のスクロールストレッチと縁凸ブロック３２２のガイドにより、図６ｂに示すように、ラッチ部品６１はずっと外輪軌道７２にて反対方向に運動する。即ちスクロールスプリング４が始めの状態に戻るまで自動的にコードを収納する状態となり、コードが回転盤３を巻きつけ、コード製品のコードを完全に収納した状態となる。
【００３０】
本考案のユニバーサルワインディング装置のコードを解き放つ動きの原理は：コードを回転盤３に巻き、且つラッチ部品６１を定位箇所７３に掛合するとき、即ちコードが巻きついた状態のとき、ユーザーが安全スイッチ９を解除し、コードを引っ張って回転盤３を回転させる際、図７ａに示すように、ラッチ部品６１が定位箇所７３から外れて外輪軌道７２に入る。ラッチ部品６１が外輪軌道７２から縁凸ブロック３２２まで運動した場合、縁凸ブロック３２２のガイドに沿って、ラッチ部品６１を内輪軌道７１に入らせ、図７bに示すように、ラッチ部品６１はずっと内輪軌道７１にて運動し、即ちコードが緩んだ状態である。ユーザーがコードを引っ張るのを止めて手を離した時まで、図８に示すように、スクロールスプリング４のスクロールストレッチにより、ラッチ部品が定位箇所７３に掛合し、つまりコードが定位状態にあり、シングル定位機能を具有することで、ユーザーは適切なコードの長さを引っ張り出すことができる。この時、ユーザーが再度コードを引っ張ると、二つの状況が生じる。一つの状況は：ユーザーが再びコードを更に長く引っ張ると、それによってラッチ部品６１が定位箇所７３から外れて外輪軌道７２から内輪軌道７１に入る。同じように、ユーザーがコードを引っ張るのを止めて手を離した時、スクロールスプリング４のスクロールストレッチにより、ラッチ部品６１が定位箇所７３に掛合し、再び定位に着く。もう一つの状況は：ユーザーが再び引っ張るコードが短いと、ラッチ部品６１が定位箇所７３から外れて外輪軌道７２にて運動し、内輪軌道７１にまだ入らない時にユーザーがコードを引っ張るのを止めて手を離した時、上述のワインディングの動きの原理と同じく、スクロールスプリング４のスクロールストレッチにより、ラッチ部品６１はずっと外輪軌道７２にて反対方向に運動する。即ちスクロールスプリング４が始めの状態に戻るまで自動的にコードを収納する状態となり、コードが再び回転盤３に巻きつくようになる。
【００３１】
前記の図にある点線は、ラッチ部品６１の運動軌跡を表す。
【００３２】
最良実施例として、本考案のユニバーサルワインディング装置の該開口５の両側にいずれも二つのガイド溝５１を設け、二つのガイド溝５１の境界部５２は分線盤３３と対応している。この構造により、外部コードは比較的に規律正しく二つのガイド溝５１に沿って本考案のユニバーサルワインディング装置内に収納することができる。ユーザーはまた左右両手でそれぞれもっと有効的に、本考案のユニバーサルワインディング装置と外部コードの進む方向や、引っ張るスピードと力加減の調整をコントロールすることができる。
【００３３】
最良実施例として、本考案のユニバーサルワインディング装置の下蓋２の底にエポキシステッカー２３を設置し、エポキシステッカー２３はブランドやマークなどの印刷に用いることができる。もちろん前記の下蓋２の底にも物品を粘着する面ファスナー（例えばマジックテープ（登録商標））や、イヤホーンなどの磁性を帯びたコード製品を吸着する金属片、或いはＵＳＢインターフェイスを具有する金属性インターフェイスコード製品を吸着する磁石片を設置することができ、本実施例がセレクトしたエポキシステッカー２３に限られない。
【００３４】
最良実施例として、上蓋１と下蓋２が互いに対応する外側(即ち上蓋１と下蓋２が掛合して組成するケースの外側)に吊り下げ物品８を設置し、該吊り下げ物品８の表面に粘着シート８１を設置し、該粘着シート８１はイヤホーンなどの磁性を帯びたコード製品を吸着する金属片、或いはＵＳＢインターフェイスを具有する金属性インターフェイスコード製品を吸着する磁石片に用いる。該粘着シート８１の両サイドにコードを嵌めて固定するストリップ状の溝８２を設ける。使用する際、本考案のユニバーサルワインディング装置内に収納できないコード製品の露出しているコードは、ストリップ状の溝８２内に嵌めて固定することができる。露出している製品は、粘着シート８１に粘着或いは吸着することができる。例えば：イヤホーンの受話口、ＵＳＢインターフェイスなどの部分を粘着シート８１に粘着或いは吸着することができる。イヤホーンの受話口、ＵＳＢインターフェイスなどの部分と接続する露出コードは、ストリップ状の溝８２内に嵌めて固定することができる。
【００３５】
本実施例では、安全スイッチ９はトグルブロック９１１、弾性シート９１２を含み、該上蓋１に設置穴９１３を設け、該トグルブロック９１１と該弾性シート９１２はいずれも設置穴９１３の中に置く。且つ該弾性シート９１２の一端は設置穴９１３の内壁と抵触し、該弾性シート９１２の別端は該トグルブロック９１１と抵触することで、トグルブロック９１１の始めの状態は閉めた状態となる。回転盤３の該上層３４の突起ブロック３４１の外側に掛合スロット９１４を成型し、該トグルブロック９１１の底部に掛合スロット９１４と対応し、回転盤を止めるストッパーブロック９１５を成型し、且つ該トグルブロック９１１の頂上部は設置穴９１３から突出する。トグルブロック９１１の始めの状態は、閉めた状態の場合、即ち安全スイッチ９がロックしている状態である。弾性シート９１２が抵触することで、ストッパーブロック９１５が突起ブロック３４１の掛合スロット９１４で止まるため、回転盤３をロックし、回転盤３が回転できなくなる。ユーザーがトグルブロック９１１の頂上部を動かすことで、ストッパーブロック９１５が掛合スロット９１４から離脱する時は、つまり安全スイッチ９が解除された状態であるため、回転盤３は再び回転できるようになる。
【００３６】
前記の本考案のユニバーサルワインディング装置の構造で分かるように、本考案のユニバーサルワインディング装置は容易くコード付ワインディング装置に応用することができる。例を下記に挙げる。
【００３７】
図１１に示すのは、本実施例が提供する一つのシングルワインディング器であり、コード１１０、前記のユニバーサルワインディング装置１００を含み、コード１１０の一端をユニバーサルワインディング装置１００の回転盤３に固定し、該コード１１０の別端はフリーエンドであり、該フリーエンドをユニバーサルワインディング装置１００の外に置くことで、該フリーエンドはイヤホーン、マウスなどのコード製品と接続することができる。本実施例のシングルワインディング器は特に一つ定位のシングルワインディング器に適用する。ユニバーサルワインディング装置１００の安全スイッチは同様に本実施例のシングルワインディング器の安全性を高めることができる。
【００３８】
図１２に示すように、本実施例はまた一つのダブルワインディング器であり、コード１２０、前記のユニバーサルワインディング装置１００を含み、コード１２０の真ん中部分をユニバーサルワインディング装置１００の回転盤３に固定し、該コード１２０の両端はいずれもフリーエンドであり、該フリーエンドをユニバーサルワインディング装置１００の外に置くことで、該フリーエンドはイヤホーン、マウスなどのコード製品と接続することができる。ユニバーサルワインディング装置１００の安全スイッチは同様に本実施例のダブルワインディング器の安全性を高めることができる。
【００３９】
よって、本考案のユニバーサルワインディング装置をコード付ワインディング器に応用する場合も、本考案の保護範囲となる。
【実施例２】
【００４０】
図１３に示すのは、本考案のユニバーサルワインディング装置の実施例２である。本実施例と実施例１のユニバーサルワインディング装置が異なるのは、安全スイッチ９の構造である。本実施例のユニバーサルワインディング装置の安全スイッチ９はＵ字型可動ラッチ６のＵ字型牽引９２１、スライド部９２３を止める役割をも含む。Ｕ字型牽引９２１はリンク９２２を通じてスライド部９２３と接続し、Ｕ字型牽引９２１は下蓋２内に位置し、スライド部９２３は下蓋２の外に位置し、下蓋２にリンク９２２が通る穴を設ける。該スライド部９２３が該Ｕ字型牽引９２１を押してＵ字型ストッパー溝２２に置いたとき、該Ｕ字型牽引９２１はＵ字型可動ラッチ６を止めることで該回転盤３をロックし、即ち安全スイッチ９がロックした状態となる。スライド部９２３がＵ字型牽引９２１をＵ字型ストッパー溝２２から引っ張り出したときは、即ち安全スイッチ９が解除した状態であるため、Ｕ字型可動ラッチ６はＵ字型ストッパー溝２２の中で運動することができることで、回転盤３が再び回転することができる。
【００４１】
実施例２で分かるように、本考案のユニバーサルワインディング装置が定位した状態にあるとき、定位を解除するために回転盤３を回転すると、Ｕ字型可動ラッチ６は必ず右にスライドしなければならない(図１３の方法を基準とする)。よって、本考案のユニバーサルワインディング装置が定位した状態にあるとき、Ｕ字型牽引９２１をＵ字型ストッパー溝２２の右側内に置き、Ｕ字型可動ラッチ６を抵触するだけで、ラッチ部品６１をロックし、それによって回転盤３をもロックする。Ｕ字型牽引９２１を設置できるよう、Ｕ字型ストッパー溝２２は対応して長くすることができる。
【００４２】
本実施例のその他の構造および作動原理は実施例１と同じであるため、再度記述しない。また、実施例１と実施例２で述べる安全スイッチ９は同時に本考案のユニバーサルワインディング装置に設置することができ、ダブルロックを形成し、安全性を高める。
【００４３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００４４】
１  上蓋
２  下蓋
２１  軸
２２  Ｕ字型ストッパー溝
２３  エポキシステッカー
３  回転盤
３１  穴
３２  底層
３２１  中央凸ブロック
３２２  縁凸ブロック
３２３  分割凸ブロック
３２４  定位凸ブロック
３３  分線盤
３３１  フックスロット
３４  上層
３４１  突起ブロック
４  スクロールスプリング
５  開口
５１  ガイド溝
５２  境界部
６  Ｕ字型可動ラッチ
６１  ラッチ部品
７  平面軌道
７１  内輪軌道
７２  外輪軌道
７３  定位箇所
８  吊り下げ物品
８１  粘着シート
８２  ストリップ状の溝
９  安全スイッチ
９１１  トグルブロック
９１２  弾性シート
９１３  設置穴
９１４  掛合スロット
９１５  ストッパーブロック
９２１  Ｕ字型牽引
９２２  リンク
９２３  スライド部
１００  ユニバーサルワインディング装置
１１０  コード
１２０  コード
【図１】
0003186491.tif 000003
【図２】
0003186491.tif 000004
【図３】
0003186491.tif 000005
【図４】
0003186491.tif 000006
【図５】
0003186491.tif 000007
【図６ａ】
0003186491.tif 000008
【図６ｂ】
0003186491.tif 000009
【図７ａ】
0003186491.tif 000010
【図７ｂ】
0003186491.tif 000011
【図８】
0003186491.tif 000012
【図９】
0003186491.tif 000013
【図１０】
0003186491.tif 000014
【図１１】
0003186491.tif 000015
【図１２】
0003186491.tif 000016
【図１３】
0003186491.tif 000017